【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
独立に発光を制御可能な複数の光源を有する発光装置であって、
前記光源の輝度を検出する輝度センサと、
前記光源及び輝度センサの少なくともいずれかの故障を検知する検知手段と、
前記輝度センサによる前記光源の輝度の検出値の目標値を記憶する記憶手段と、
前記輝度センサによる前記光源の輝度の検出値と、前記目標値と、の差を小さくするように前記光源の発光制御値を決定する制御手段と、
を備え、
前記制御手段は、前記光源及び前記輝度センサの少なくともいずれかの故障が検知された場合、前記輝度センサによる検出値と前記目標値との差にかかわらず前記光源の発光制御値を所定の値とする発光装置。
【請求項２】
前記記憶手段は、発光装置の発光面内の輝度のばらつきが所定の許容レベルとなるように予め光源毎に決められた発光制御値を初期制御値として記憶しており、
前記制御手段は、前記光源の故障が検知された場合、当該故障した光源以外の光源の発光制御値を前記初期制御値とする請求項１に記載の発光装置。
【請求項３】
前記記憶手段は、前記制御手段により決定された前記光源の発光制御値を記憶しており、
前記制御手段は、前記光源の故障が検知された場合、当該故障した光源以外の光源の発光制御値を当該故障が検知される前に前記制御手段により決定された発光制御値とする請求項１に記載の発光装置。
【請求項４】
前記記憶手段は、発光装置の発光面内の輝度のばらつきが所定の許容レベルとなるように予め光源毎に決められた発光制御値を初期制御値として記憶しており、
前記制御手段は、前記輝度センサの故障が検知された場合、前記光源の発光制御値を前記初期制御値とする請求項１に記載の発光装置。
【請求項５】
前記記憶手段は、前記制御手段により決定された前記光源の発光制御値を記憶しており、
前記制御手段は、前記輝度センサの故障が検知された場合、前記光源の発光制御値を当
該故障が検知される前に前記制御手段により決定された発光制御値とする請求項１に記載の発光装置。
【請求項６】
前記光源は、独立に発光を制御可能な複数の色の光源により構成される白色光源であり、
前記記憶手段は、発光装置の発光面内の輝度のばらつきが所定の許容レベルとなるように予め光源毎に定められた発光制御値を初期制御値として記憶しており、
前記検知手段は、前記白色光源を構成する光源の故障を検知可能であり、
前記制御手段は、前記白色光源を構成する光源のうち少なくとも１つの光源の故障が検知された場合、当該故障した光源及び当該故障した光源を含む白色光源を構成する当該故障した光源以外のすべての光源の発光制御値をゼロとし、それ以外の白色光源を構成する光源の発光制御値を前記初期制御値とする請求項１に記載の発光装置。
【請求項７】
前記光源は、独立に発光を制御可能な複数の色の光源により構成される白色光源であり、
前記記憶手段は、前記制御手段により決定された前記光源の発光制御値を記憶しており、
前記検知手段は、前記白色光源を構成する光源の故障を検知可能であり、
前記制御手段は、前記白色光源を構成する光源のうち少なくとも１つの光源の故障が検知された場合、当該故障した光源とともに白色光源を構成する光源すべての発光制御値をゼロとし、それ以外の白色光源を構成する光源の発光制御値を当該故障が検知される前に前記制御手段により決定された発光制御値とする請求項１に記載の発光装置。
【請求項８】
前記各光源の周囲の温度を検出する温度センサを備え、
前記検知手段は、前記温度センサの故障を検知可能であり、
前記記憶手段は、光源の周囲の温度と光源の発光特性との関係を記憶しており、
前記制御手段は、前記温度センサにより検出される前記光源の周囲の温度に基づいて前記輝度センサによる前記光源の輝度の検出値を補正し、補正後の前記検出値と、前記目標値と、の差を小さくするように前記光源の発光制御値を決定するものであって、
前記制御手段は、前記光源、前記輝度センサ、及び前記温度センサの少なくともいずれかの故障が検知された場合、前記補正後の検出値と前記目標値との差にかかわらず前記光源の発光制御値を所定の値とすることを特徴とする請求項１〜７のいずれか１項に記載の発光装置。
【請求項９】
独立に発光を制御可能な複数の光源を有する発光装置の制御方法であって、
前記光源の輝度を輝度センサにより検出する工程と、
前記光源及び前記輝度センサの少なくともいずれかの故障を検知する工程と、
前記輝度センサによる前記光源の輝度の検出値と、記憶手段に記憶されている前記輝度センサによる前記光源の輝度の検出値の目標値と、の差を小さくするように前記光源の発光制御値を決定する制御工程と、
を有し
前記制御工程では、前記光源及び前記輝度センサの少なくともいずれかの故障が検知された場合、前記輝度センサによる検出値と前記目標値との差にかかわらず前記光源の発光制御値を所定の値とする発光装置の制御方法。
【請求項１０】
前記発光装置は、液晶表示装置のバックライトである請求項１〜８のいずれか１項に記載の発光装置。
【請求項１１】
前記発光装置は、液晶表示装置のバックライトである請求項９に記載の発光装置の制御方法。
【請求項１２】
独立に発光を制御可能な複数の光源を有する発光装置であって、
前記光源の輝度を検出する輝度センサと、
前記光源及び前記輝度センサの少なくともいずれかの故障を検知する検知手段と、
前記輝度センサによる前記光源の輝度の検出値の目標値を記憶する記憶手段と、
前記輝度センサによる前記光源の輝度の検出値と、前記目標値と、の差を小さくするように前記光源の発光制御値を決定する補正処理を行う制御手段と、
を備え、
前記制御手段は、前記光源及び前記輝度センサの少なくともいずれかの故障が検知された場合、前記補正処理を行わない発光装置。
【請求項１３】
独立に発光を制御可能な複数の光源を有する発光装置の制御方法であって、
前記光源の輝度を輝度センサにより検出する工程と、
前記光源及び前記輝度センサの少なくともいずれかの故障を検知する工程と、
前記輝度センサによる前記光源の輝度の検出値と、記憶手段に記憶されている前記輝度センサによる前記光源の輝度の検出値の目標値と、の差を小さくするように前記光源の発光制御値を決定する補正処理を行う制御工程と、
を有し
前記制御工程では、前記光源及び前記輝度センサの少なくともいずれかの故障が検知された場合、前記補正処理を行わない発光装置の制御方法。
【手続補正２】
【補正対象書類名】明細書
【補正対象項目名】発明の名称
【補正方法】変更
【補正の内容】
【発明の名称】発光装置及びその制御方法
【手続補正３】
【補正対象書類名】明細書
【補正対象項目名】０００１
【補正方法】変更
【補正の内容】
【０００１】
本発明は発光装置及びその制御方法に関するものである。
【手続補正４】
【補正対象書類名】明細書
【補正対象項目名】０００８
【補正方法】変更
【補正の内容】
【０００８】
本発明は、輝度センサ及び複数の光源を有し輝度センサによる検出値に基づき各光源の発光を制御する発光装置において、一部の光源又は輝度センサが故障した場合でもある程度の期間継続使用できるようにすることを目的とする。
【手続補正５】
【補正対象書類名】明細書
【補正対象項目名】０００９
【補正方法】変更
【補正の内容】
【０００９】
本発明は、独立に発光を制御可能な複数の光源を有する発光装置であって、
前記光源の輝度を検出する輝度センサと、
前記光源及び輝度センサの少なくともいずれかの故障を検知する検知手段と、
前記輝度センサによる前記光源の輝度の検出値の目標値を記憶する記憶手段と、
前記輝度センサによる前記光源の輝度の検出値と、前記目標値と、の差を小さくするように前記光源の発光制御値を決定する制御手段と、
を備え、
前記制御手段は、前記光源及び前記輝度センサの少なくともいずれかの故障が検知された場合、前記輝度センサによる検出値と前記目標値との差にかかわらず前記光源の発光制御値を所定の値とする発光装置である。
また、本発明は、独立に発光を制御可能な複数の光源を有する発光装置であって、
前記光源の輝度を検出する輝度センサと、
前記光源及び前記輝度センサの少なくともいずれかの故障を検知する検知手段と、
前記輝度センサによる前記光源の輝度の検出値の目標値を記憶する記憶手段と、
前記輝度センサによる前記光源の輝度の検出値と、前記目標値と、の差を小さくするように前記光源の発光制御値を決定する補正処理を行う制御手段と、
を備え、
前記制御手段は、前記光源及び前記輝度センサの少なくともいずれかの故障が検知された場合、前記補正処理を行わない発光装置である。
【手続補正６】
【補正対象書類名】明細書
【補正対象項目名】００１０
【補正方法】変更
【補正の内容】
【００１０】
本発明は、独立に発光を制御可能な複数の光源を有する発光装置の制御方法であって、
前記光源の輝度を輝度センサにより検出する工程と、
前記光源及び前記輝度センサの少なくともいずれかの故障を検知する工程と、
前記輝度センサによる前記光源の輝度の検出値と、記憶手段に記憶されている前記輝度センサによる前記光源の輝度の検出値の目標値と、の差を小さくするように前記光源の発光制御値を決定する制御工程と、
を有し
前記制御工程では、前記光源及び前記輝度センサの少なくともいずれかの故障が検知された場合、前記輝度センサによる検出値と前記目標値との差にかかわらず前記光源の発光制御値を所定の値とする発光装置の制御方法である。
また、本発明は、独立に発光を制御可能な複数の光源を有する発光装置の制御方法であって、
前記光源の輝度を輝度センサにより検出する工程と、
前記光源及び前記輝度センサの少なくともいずれかの故障を検知する工程と、
前記輝度センサによる前記光源の輝度の検出値と、記憶手段に記憶されている前記輝度センサによる前記光源の輝度の検出値の目標値と、の差を小さくするように前記光源の発光制御値を決定する補正処理を行う制御工程と、
を有し
前記制御工程では、前記光源及び前記輝度センサの少なくともいずれかの故障が検知された場合、前記補正処理を行わない発光装置の制御方法である。
【手続補正７】
【補正対象書類名】明細書
【補正対象項目名】００１１
【補正方法】変更
【補正の内容】
【００１１】
本発明によれば、輝度センサ及び複数の光源を有し輝度センサによる検出値に基づき各
光源の発光を制御する発光装置において、一部の光源又は輝度センサが故障した場合でもある程度の期間継続使用できるようになる。